(57)【要約】【課題】施工現場などでの丈寸法の切り詰めによる調整を容易とした、丈詰め作業の容易なスクリーン装置を提供すること。【解決手段】上スライドガイド枠部１５を形成する第１の剛性ユニット２４の大きさが、下スライドガイド枠部１６を形成する第２の剛性ユニット１７の大きさよりも小さく、上スライドガイド枠部と下スライドガイド枠部がスクリーン取付枠部１０の内部に収納されるとき、第１の剛性ユニットの側壁部１８が第２の剛性ユニットの側壁部の間の内側に入り込み、上スライドガイド枠部がスクリーン取付枠部内で下スライドガイド枠部と交差し、スクリーン装置１の丈詰めを行う際に、第１の剛性ユニットの連結が、スクリーン取付枠部内の任意の位置で解除可能であり、上スライドガイド枠部が、スクリーン取付枠部内から取出可能である。【選択図】図１
2011080274.tif 000002
【特許請求の範囲】
【請求項１】
横方向に開閉するスクリーンと、
スクリーンの左右いずれかの一端が取り付けられ、内蔵するコイルバネの弾性力によって回転し、外周にスクリーンを巻き取るローラーパイプと、
所定位置に固定されるローラーパイプに対してスクリーンの開閉方向にスライド移動可能であり、ローラーパイプに取り付けられた一端と反対側に位置するスクリーンの一端が取り付けられるスクリーン取付枠部と、
スクリーンの上端付近に配設された上スライドガイド枠部およびスクリーンの下端付近に配設された下スライドガイド枠部とを備え、
上スライドガイド枠部は、対向配置された一対の側壁部および両側壁部を相互に繋ぐ架橋部を有する第１の剛性ユニットの複数が、隣り合う２つの間で回動自在に連結されて形成され、下スライドガイド枠部は、対向配置された一対の側壁部および両側壁部を相互に繋ぐ架橋部を有する第２の剛性ユニットの複数が、隣り合う２つの間で回動自在に連結されて形成され、上スライドガイド枠部および下スライドガイド枠部はともに、屈曲性を有し、一端が自由端とされてスクリーン取付枠部内に収納および引き出し可能とされる一方、スクリーン取付枠部のスライド移動にともなってスクリーン取付枠部から引き出されたときに、スクリーン取付枠部から引き出された部分は直線性を保持するスクリーン装置であって、
第１の剛性ユニットの大きさが第２の剛性ユニットの大きさよりも小さく、上スライドガイド枠部と下スライドガイド枠部がスクリーン取付枠部内に収納されるとき、第１の剛性ユニットの側壁部が第２の剛性ユニットの側壁部の間の内側に入り込み、上スライドガイド枠部がスクリーン取付枠部内で下スライドガイド枠部と交差する
ことを特徴とするスクリーン装置。
【請求項２】
上スライドガイド枠部および下スライドガイド枠部の自由端が、スクリーン取付枠部内でループを形成する張力部材によって連結され、スクリーン取付枠部内の上下２箇所に張力部材を折り返す折返部材が配設され、上側の折返部材が、スクリーン装置の切断位置よりも下側に配置されていることを特徴とする請求項１に記載のスクリーン装置。
【請求項３】
スクリーン取付枠部は、スクリーンの取付位置に、スクリーンの端部に配設された固定部材が嵌挿されるスロットを有し、スロットには、スクリーン取付枠部の下端部において幅が拡大されるように左右両側方に切り欠かれた切欠が形成されていることを特徴とする請求項１または２に記載のスクリーン装置。
【請求項４】
スクリーンとローラーパイプの上端が同一位置に配置されていることを特徴とする請求項３に記載のスクリーン装置。
【請求項５】
スクリーン装置が設置される開口部においてスクリーン取付枠部に対向する額縁にラッチが配設され、額縁に対向するスクリーン取付枠部の前面部にラッチと係合するハンガーが配設され、ハンガーには、上下両端部に工具の差込溝が形成されていることを特徴とする請求項１から４のいずれか一項に記載のスクリーン装置。
【発明の詳細な説明】
【技術分野】
【０００１】
本発明は、カーテン、ブラインドをはじめ、網戸や間仕切りなどとして用いることのできるスクリーン装置に関する。
【背景技術】
【０００２】
多用途のスクリーン装置について、本出願人は、下記特許文献１に記載したものを提供している。また、本出願人は、上記スクリーン装置を基本としていくつかのバリエーションを展開してもいる。
【０００３】
いずれのスクリーン装置も、スクリーンの開閉方向に展出および収納されるスライドガイド枠を一対備えている。スライドガイド枠は、複数の剛性ユニットが、隣り合う２つの間で回動自在に連結されて形成され、一方向には屈曲可能であるが、他方向には屈曲せず、直線性を保持することができる。
【０００４】
また、下記特許文献２に記載したスクリーン装置では、コイルバネを内蔵したローラーパイプが配設され、スクリーンの一端部をそのローラーパイプに固定し、開閉時にスクリーンをローラーパイプの周りに巻き取り、また、引き出すことができるようにし、スムーズで安定な開閉操作を実現している。
【先行技術文献】
【特許文献】
【０００５】
【特許文献１】特許第３３２３４６１号公報
【特許文献２】特開２００５−３５１０４６号公報
【発明の概要】
【発明が解決しようとする課題】
【０００６】
これらのスクリーン装置は、その優れた開閉操作性や施工性などから汎用されているが、スクリーン装置が設置される建物の開口部などの大きさは、ある程度規格化されているとはいえ幾つかある。その全てに対応してスクリーン装置を製造するとなると、スクリーン装置は多品種なものとなり、製品の安定供給や在庫管理などの面で問題が生じる。また、開口部などの大きさは建物の建付け具合などによって微妙に異なる場合が多く、たとえ規格化されていても施工現場での調整が余儀なくされることが多い。特に横開き式のスクリーン装置では丈寸法の調整が必要とされる。
【０００７】
また、一般に、スクリーン装置は、品質安定性などを考慮して製造工場において主要な部分が組み立てられて出荷されている。したがって、施工現場において調整する際には、組み立てられたものを一旦分解し、スクリーン取付枠部、スクリーン、ローラーパイプなどを切断した後、再度組み立てることになり、施工作業が煩雑になっている。
【０００８】
本発明は、以上の通りの事情に鑑みてなされたものであり、施工現場などでの丈寸法の切り詰めによる調整を容易とした、丈詰め作業の容易なスクリーン装置を提供することを課題としている。
【課題を解決するための手段】
【０００９】
本発明は、上記の課題を解決するために、以下の特徴を有している。
【００１０】
第１の発明は、横方向に開閉するスクリーンと、スクリーンの左右いずれかの一端が取り付けられ、内蔵するコイルバネの弾性力によって回転し、外周にスクリーンを巻き取るローラーパイプと、所定位置に固定されるローラーパイプに対してスクリーンの開閉方向にスライド移動可能であり、ローラーパイプに取り付けられた一端と反対側に位置するスクリーンの一端が取り付けられるスクリーン取付枠部と、スクリーンの上端付近に配設された上スライドガイド枠部およびスクリーンの下端付近に配設された下スライドガイド枠部とを備え、上スライドガイド枠部は、対向配置された一対の側壁部および両側壁部を相互に繋ぐ架橋部を有する第１の剛性ユニットの複数が、隣り合う２つの間で回動自在に連結されて形成され、下スライドガイド枠部は、対向配置された一対の側壁部および両側壁部を相互に繋ぐ架橋部を有する第２の剛性ユニットの複数が、隣り合う２つの間で回動自在に連結されて形成され、上スライドガイド枠部および下スライドガイド枠部はともに、屈曲性を有し、一端が自由端とされてスクリーン取付枠部内に収納および引き出し可能とされる一方、スクリーン取付枠部のスライド移動にともなってスクリーン取付枠部から引き出されたときに、スクリーン取付枠部から引き出された部分は直線性を保持するスクリーン装置であって、第１の剛性ユニットの大きさが第２の剛性ユニットの大きさよりも小さく、上スライドガイド枠部と下スライドガイド枠部がスクリーン取付枠部内に収納されるとき、第１の剛性ユニットの側壁部が第２の剛性ユニットの側壁部の間の内側に入り込み、上スライドガイド枠部がスクリーン取付枠部内で下スライドガイド枠部と交差することを特徴としている。
【００１１】
第２の発明は、上記第１の発明の特徴において、上スライドガイド枠部および下スライドガイド枠部の自由端が、スクリーン取付枠部内でループを形成する張力部材によって連結され、スクリーン取付枠部内の上下２箇所に張力部材を折り返す折返部材が配設され、上側の折返部材が、スクリーン装置の切断位置よりも下側に配置されていることを特徴としている。
【００１２】
第３の発明は、上記第１または第２の発明の特徴において、スクリーン取付枠部は、スクリーンの取付位置に、スクリーンの端部に配設された固定部材が嵌挿されるスロットを有し、スロットには、スクリーン取付枠部の下端部において幅が拡大されるように左右両側方に切り欠かれた切欠が形成されていることを特徴としている。
【００１３】
第４の発明は、上記第３の発明の特徴において、スクリーンとローラーパイプの上端が同一位置に配置されていることを特徴としている。
【００１４】
第５の発明は、上記第１から第４のいずれか一つの発明の特徴において、スクリーン装置が設置される開口部においてスクリーン取付枠部に対向する額縁にラッチが配設され、額縁に対向するスクリーン取付枠部の前面部にラッチと係合するハンガーが配設され、ハンガーには、上下両端部に工具の差込溝が形成されていることを特徴としている。
【発明の効果】
【００１５】
上記第１の発明によれば、大きい方の第２の剛性ユニットから形成された下スライドガイド枠部がスクリーン取付枠部内に収納可能とされているので、小さい方の第１の剛性ユニットから形成された上スライドガイド枠部は、スクリーン取付枠部との間に空間のゆとりを持ってスクリーン取付枠部内に収納される。このため、ドライバーなどの工具をスクリーン取付枠部の内部に差し込み、第２の剛性ユニット間の連結を解除することができる。スクリーン装置の丈詰めの際には、切断側に位置する上スライドガイド枠部をスクリーン取付枠部の内部から取り出すことができ、また、その取出作業は、上スライドガイド枠部の任意の位置において行うことができ、容易である。したがって、スクリーン装置の丈詰め作業が容易となる。
【００１６】
上記第２の発明によれば、上記第１の発明の効果に加え、自由端側で上スライドガイド枠部と下スライドガイド枠部を連結し、それぞれに張力を付与する張力部材が、スクリーン取付枠部内で折り返されてループを形成していても、上側に位置する折返部材が、スクリーン装置の切断位置よりも下側に配置されているので、張力部材がスクリーン装置の丈詰めの支障となることはなく、丈詰め作業を容易に行うことができる。
【００１７】
上記第３の発明によれば、上記第１または第２の発明の効果に加え、スクリーンの端部に配設された固定部材が嵌挿されるスロットが、スクリーン取付枠部の下端部において、幅が拡大されるように左右両側方に切り欠かれた切欠が形成されているため、スクリーン装置の丈詰めに際して、ドライバーなどの工具を用いてスクリーンを引き下げることができ、スクリーン取付枠部とスクリーンの上端を同一位置に容易に揃えることができる。スクリーン取付枠部とスクリーンの両方を一度に切断することができ、スクリーン装置の丈詰め作業がさらに容易となる。
【００１８】
上記第４の発明によれば、上記第３の発明の効果に加え、スクリーンとローラーパイプの上端が同一位置に配置されているので、ローラーパイプをもスクリーン取付枠部およびスクリーンとともに一度に切断することができ、スクリーン装置の丈詰め作業が一層容易となる。
【００１９】
上記第５の発明によれば、上記第１から第４の発明のいずれか一つの効果に加え、ラッチとハンガーの係合により閉じた状態に保持されるスクリーン装置において、ハンガーには、上下両端部に工具の差込溝が形成されているので、ドライバーなどの工具を差込溝に差し込むことによって、ハンガーの上下に取り付けられているカバーを容易に取り外すことができる。スクリーン装置の丈詰め作業において、上スライドガイド枠部をスクリーン取付枠部の内部から取り出す際に、カバーを容易に取り外すことができ、スクリーン装置の丈詰め作業がより一層容易となる。
【図面の簡単な説明】
【００２０】
【図１】本発明のスクリーン装置の一実施形態を示した縦断面図である。
【図２】図１に示したスクリーン装置の横断面図である。
【図３】＜ａ＞＜ｂ＞は、それぞれ、図１に示したスクリーン装置の上スライドガイド枠部および下スライドガイド枠部をスクリーン取付枠部における収納状態として示した要部断面図である。
【図４】図３に示した上スライドガイド枠部を第１の剛性ユニットの連結およびその解除とともに示した要部平面図である。
【図５】図１に示したスクリーン装置に配設されたハンガーの正面図である。
【図６】図１に示したスクリーン装置におけるスクリーン取付枠部のスクリーン取付部側の下端部を示した要部斜視図である。
【図７】図１に示したスクリーン装置の丈詰めの際にスクリーンを引き下げる作業について示した、図６に対応する要部斜視図である。
【図８】図１に示したスクリーン装置において、上スライドガイド枠部および下スライドガイド枠部を連結する張力部材の配設について示した要部正面図である。
【発明を実施するための形態】
【００２１】
上記のとおり、図１、２は、それぞれ、本発明のスクリーン装置の一実施形態を示した縦断面図、横断面図である。また、図３＜ａ＞＜ｂ＞は、それぞれ、図１に示したスクリーン装置の上スライドガイド枠部および下スライドガイド枠部をスクリーン取付枠部における収納状態として示した要部断面図であり、図４は、図３に示した上スライドガイド枠部を第１の剛性ユニットの連結およびその解除とともに示した要部平面図である。
【００２２】
スクリーン装置１は、横方向に開閉するスクリーン２としてネット２ａを備えている。スクリーン２は、織物、編物などの布地から形成されたものであり、遮光性を有するものや防虫網として使用可能なものなど、必要とされる特性に応じて適宜選択されるものである。本実施形態では、防虫網として適用されるネット２ａが採用されている。また、ネット２ａを含め、スクリーン２の形状には特に制限はなく、プリーツなどを必要に応じて付けることが可能である。
【００２３】
スクリーン２の右端は、たとえば建物において矩形状に形成された開口部の縦方向に延びる右側の額縁Ａに固定される、縦置きに配置されたローラーパイプ３に取り付けられている。
【００２４】
ローラーパイプ３は、略円筒状の中空な本体３ａと、本体３ａがその下端部において接続されている軸受４とを備えている。本体３ａの内部には回転軸５が配設されており、回転軸５は、軸受４からローラーパイプ３の高さ方向の途中まで延びている。また、本体３ａにはコイルバネ６が内蔵され、コイルバネ６は、回転軸５の周りに配設されている。コイルバネ６には、ねじられたときに弾性力が蓄積され、蓄積された弾性力が開放されるとき、本体３ａが回転軸５を中心として自動的に回転する。このとき、ローラーパイプ３に一端が取り付けられたスクリーン２は、本体３ａの外周に巻き取られる。巻き取られたスクリーン２を閉める方向に引き出すと、ローラーパイプ３の本体３ａは、上記と反対方向に回転し、コイルバネ６がねじられ、弾性力が蓄積される。
【００２５】
スクリーン２の左右両端部には、縦方向に延びる長片状の固定部材７が配設されている。ローラーパイプ３の本体３ａには、縦方向に延びるスロット８が形成されており、スロット８は、本体３ａの外側方に開放されている。固定部材７がスロット８に嵌挿されることによって、スクリーン２は、その右端においてローラーパイプ３に取り付けられる。なお、スクリーン２とローラーパイプ３の両上端は、図１図中に矢印Ｘで示したように、同一位置に揃えて配置されている。
【００２６】
また、ローラーパイプ３は、中空な収納枠９の内部に収納され、収納枠９が、建物の開口部の右側の額縁Ａに取り付けられることによって固定されている。
【００２７】
スクリーン２の左端は、ローラーパイプ３に対してスクリーン２の開閉方向にスライド移動可能とされたスクリーン取付枠部１０に取り付けられている。スクリーン取付枠部１０は、矩形断面を有する角筒状の中空な本体１０ａと、ローラーパイプ３側に位置し、右側方に突出するスクリーン取付部１０ｂとを備え、縦置きに配置されている。スクリーン取付部１０ｂは、略コ字型の断面形状を有し、右側方に開放されている。また、スクリーン取付部１０ｂには、ローラーパイプ３に対向する内側面部にスロット１１が形成されている。スクリーン２は、その左端部に配設された固定部材７がスロット１１に嵌挿されてスクリーン取付枠部１０に取り付けられる。建物の開口部の縦方向に延びる左側の額縁Ｂには、戸当り枠１２が配設され、スクリーン取付枠部１０は、戸当り枠１２と収納枠９の間を横方向にスライド移動可能とされている。スクリーン２は、スクリーン取付枠部１０のそのようなスライド移動によって開閉可能となっている。
【００２８】
また、スクリーン装置１では、スクリーン取付枠部１０のスライド移動がスムーズに実現されるように、たとえば床面などに下レール１３が配設され、建物の開口部の横方向に延びる上側の額縁に上レール１４が配設されている。下レール１３は、たとえば細長い棒状の形状を有するものとして形成することができる。上レール１４は、たとえば断面コ字型の形状を有する枠として形成することができる。この場合、上レール１４は、スクリーン取付枠部１０、スクリーン２およびローラーパイプ３の上端部を、スクリーン装置１の表裏両側から覆い隠すことができ、スクリーン装置１の見栄えの向上にも寄与する。
【００２９】
スクリーン２を開閉する際には、操作者は、スクリーン取付枠部１０に手を携えてスクリーン取付枠部１０を横方向にスライドさせることができ、スクリーン取付枠部１０は、下レール１３によって内側よりガイドされるとともに、上レール１４によって外側よりガイドされ、スムーズに建物の開口部を横方向にスライド移動する。スクリーン取付枠部１０には、その前面部に、また、必要に応じて背面部にも取っ手を設けることができ、操作者による開閉操作を容易とすることができる。
【００３０】
また、スクリーン装置１では、スクリーン２の上端付近に上スライドガイド枠部１５が配設され、スクリーン２の下端付近に下スライドガイド枠部１６が配設されている。上スライドガイド枠部１５と下スライドガイド枠部１６はともに、スクリーン取付枠部１０をローラーパイプ３に対して平行に配置するとともに、ローラーパイプ３に対する平行な位置関係をスクリーン取付枠部１０がスライド移動する際にも安定に保持し、スクリーン２の開閉を確実に行わせるものである。このような上スライドガイド枠部１５および下スライドガイド枠部１６には、本出願人の特許第３４０３６５２号公報および特許第３３２３４６１号公報に開示しているスライドガイド枠部が適用されている。
【００３１】
すなわち、下スライドガイド枠部１６は、第２の剛性ユニット１７の複数が、隣り合う２つの間で回動自在に連結されて形成されている。第２の剛性ユニット１７は、対向配置された一対の側壁部１８と、側壁部１８の上端部寄りの位置でかつ略中央部から右端部にかけて両側壁部１８を相互に繋ぐ架橋部１９とを有している。側壁部１８には、左端部に、外方に突出する突起２０が配設され、右端部に、突起２０に係合可能な、側壁部１８の表裏を貫通する貫通穴２１が形成されている。このような第２の剛性ユニット１７の複数は、隣り合う２つの間において突起２０を貫通穴２１に側壁部１８の裏面側から差し込むことによって連結され、下スライドガイド枠部１６を形成する。また、突起２０は貫通穴２１に係合しているので、隣り合う２つの間で第２の剛性ユニット１７は互いに回動自在であり、この回動にともない下スライドガイド枠部１６は屈曲性を有している。
【００３２】
また、第２の剛性ユニット１７では、突起２０の左側において側壁部１８から外方に突出する小突起２２が配設されているとともに、貫通穴２１の左側に略三日月状の長穴２３が、側壁部１８の表裏を貫通して形成されている。長穴２３は、小突起２２の受け入れを可能としており、第２の剛性ユニット１７の連結の際に、長穴２３の内部に小突起２２が差し込まれる。このように小突起２２が長穴２３に差し込まれているので、隣り合う２つの第２の剛性ユニット１７の間では、小突起２２が長穴２３の一端に接触するとき、第２の剛性ユニット１７の回動が制止される。このため、下スライドガイド枠部１６は、直線性を保持することができる。
【００３３】
上スライドガイド枠部１５も、基本的に下スライドガイド枠部１６と同様に構成されている。すなわち、第１の剛性ユニット２４は、対向配置されて一対の側壁部１８および両側壁部１８を相互に繋ぐ架橋部１９を有し、側壁部１８には、突起２０が配設され、また、貫通穴２１が形成されている。上スライドガイド枠部１５は、第１の剛性ユニット２４の複数が、隣り合う２つの間において突起２０を貫通穴２１に差し込むことによって連結されて形成されている。上スライドガイド枠部１５は、下スライドガイド枠部１６と同様に屈曲性を有している。
【００３４】
一方、上スライドガイド枠部１５を形成する第１の剛性ユニット２４では、小突起２２および貫通穴２３が省略されている。その代わりに第１の剛性ユニット２４では、架橋部１９の右端縁部に、表面が切り欠かれて段差２５が形成されている。隣り合う２つの第１の剛性ユニット２４の間では、一方の第１の剛性ユニット２４の架橋部１９の左端部が、他方の第１の剛性ユニット２４の架橋部１９の右端縁部に形成された段差２５に重なり合うことができるようにされており、重合したときに第１の剛性ユニット２４の回動が制止される。このため、上スライドガイド枠部１５でも、下スライドガイド枠部１６と同様に、直線性の保持が可能となっている。
【００３５】
なお、上スライドガイド枠部１５は、下方への屈曲が可能とされ、下スライドガイド枠部１６は、上方への屈曲が可能とされている。
【００３６】
このような上スライドガイド枠部１５、下スライドガイド枠部１６を形成する第１の剛性ユニット２４、第２の剛性ユニット１７はともに、樹脂、金属などの成形性の良好な材料から形成することができる。また、樹脂や金属から形成される場合、図４に示したように、右側の側壁部１８は、弾性により外側に押し広げることが可能であり、しかも、元の状態に自発的に復元可能である。このため、第１の剛性ユニット２４および第２の剛性１７の複数の連結およびその解除は容易となる。
【００３７】
また、上スライドガイド枠部１５と下スライドガイド枠部１６はともに、右端が固定端とされ、ローラーパイプ３側に固定されている。一方、左端は自由端２６とされ、スクリーン取付枠部１０の本体１０ａの内部に配置されており、上スライドガイド枠部１５および下スライドガイド枠部１６は、スクリーン取付枠部１０の本体１０ａの内部に収納および引き出し可能とされている。
【００３８】
自由端２６では、上スライドガイド枠部１５と下スライドガイド枠部１６は互いに、紐、ワイヤーなどの線材から適宜選択される張力部材２７によって連結されている。上スライドガイド枠部１５と下スライドガイド枠部１６は、張力部材２７による連結によって、スクリーン取付枠部１０のスライド移動にともなう本体１０ａの内外への移動量がほぼ等しくなり、スクリーン取付枠部１０のローラーパイプ３に対する平行移動をより確実にする。張力部材２７は、スクリーン取付枠部１０の本体１０ａの内部でループを形成しており、スクリーン取付枠部１０の上下両側で折り返されている。
【００３９】
張力部材２７が折り返される、スクリーン取付枠部１０の内部の上下２箇所には、折返部材２８が配設されている。折返部材２８は、張力部材２７の掛け回しが可能な鼓状の曲面を有するプーリー２８ａなどを含むものとして構成することができる。
【００４０】
さらに、スクリーン取付枠部１０では、上スライドガイド枠部１５および下スライドガイド枠部１６が進退する上下両端部に、上スライドガイド枠部１５および下スライドガイド枠部１６の屈曲をガイドするガイド面２９を内側に有するガイドブロック３０が配設されている。ガイドブロック３０は、スライドガイド枠部１０の本体１０ａの上下両端に接続されている。上側のガイドブロック３０では、ガイド面２９は、右側端から下端にかけて凹状に湾曲し、下側のガイドブロック３０では、ガイド面２９は、右側端から上端にかけて凹状に湾曲している。また、下側のガイドブロック３０には、スクリーン取付枠部１０の下側で張力部材２７を折り返す折返部材２８が取り付けられている。一方、上側の折返部材２８は、スクリーン取付枠部１０の本体１０ａの上端よりやや下方に取り付けられている。
【００４１】
上スライド枠部１５および下スライドガイド枠部１６は、スクリーン取付枠部１０の横方向のスライド移動にともなってスクリーン取付枠部１０の本体１０ａの内部に収納され、また、引き出される。スクリーン取付枠部１０から引き出された部分は、上記のとおりの第１剛性ユニット２４および第２の剛性ユニット１７によって直線性を保持する。
【００４２】
なお、下スライドガイド枠部１６は、スクリーン取付枠部１０の下方から本体１０ａの内部に収納され、収納方向が重力と反対向きとなるので、自由端２６に錘３１を接続している。錘３１は、その自重を下スライドガイド枠部１６における下から立ち上がった部分に作用させ、下スライドガイド枠部１６がスクリーン取付枠部１０から引き出されるときは、下スライドガイド枠部１６を適度に押し出す。また、下スライドガイド枠部１６がスクリーン取付枠部１０の本体１０ａの内部に収納されるときは、下スライドガイド枠部１６の進入を適度に抑制する。このため、下スライドガイド枠部１６のスクリーン取付枠部１０の本体１０ａの内部への収納および引き出しが、スムーズかつ安定に実現される。
【００４３】
そして、上スライドガイド枠部１５および下スライドガイド枠部１６では、第１の剛性ユニット２４と第２の剛性ユニット１７の大きさが相違している。
【００４４】
図３＜ａ＞に示したように、上スライドガイド枠部１５を形成する第１の剛性ユニット２４の大きさは、横幅、奥行および高さの全ての寸法において、下スライドガイド枠部１６を形成する第２の剛性ユニット１７の大きさよりも小さくなっている。このため、スクリーン装置１では、上スライドガイド枠部１５および下スライドガイド枠部１６が、スクリーン取付枠部１０の本体１０ａの内部に収納されるとき、第１の剛性ユニット２４の側壁部１８が第２の剛性１７の側壁部１８の間の内側に入り込み、上スライドガイド枠部１５が、スクリーン取付枠部１０の本体１０ａの内部において下スライドガイド枠部１６と交差する。このような交差は、丈に対する幅の比が大きい建物の開口部などへのスクリーン装置１の適用を可能とし、建物の開口部の寸法への対応を柔軟にする。
【００４５】
また、スクリーン取付枠部１０の本体１０ａでは、その内部に、大きい方の第２の剛性ユニット１７から形成された下スライドガイド枠部１６が収納可能とされているため、図３＜ｂ＞に示したように、小さい方の第１の剛性ユニット２４から形成された上スライドガイド枠部１５は、スクリーン取付枠部１０の本体１０ａとの間に空間のゆとり３２を持ってスクリーン取付枠部１０の本体１０ａの内部に収納される。このため、ドライバーなどの工具をスクリーン取付枠部１０の本体１０ａの内部に差し込み、第１の剛性ユニット２４間の連結を解除することが可能となる。
【００４６】
スクリーン装置１は、上記のとおり、施工現場などにおいて建物の開口部の大きさに応じて丈寸法の調整が必要とされる。この場合の丈詰め作業では、スクリーン取付枠部１０、スクリーン２およびローラーパイプ３の上端部を切断するが、その際に、スクリーン２の上端付近に上スライドガイド枠部１５が配設されていると、上スライドガイド枠部１５が丈詰め作業の支障となる。スクリーン装置１では、上記のとおり、上スライドガイド枠部１５が、スクリーン取付枠部１０の本体１０ａとの間に空間のゆとり３２を持ってスクリーン取付枠部１０の本体１０ａの内部に収納されるので、丈詰めの際には、第１の剛性ユニット２４間の連結を解除して、上スライドガイド枠部１５をスクリーン取付枠部１０の本体１０ａの内部から取り出すことができる。
【００４７】
スクリーン取付枠部１０の本体１０ａでは、戸当り枠１２に対向する前面部に開口３３が形成され、本体１０ａの内部は外方に開放可能とされている。開口３３には、カバー３４が取外自在として本体１０ａの前面部に装着されている。したがって、カバー３４を取り外すことによって、ドライバーなどの工具を、開口３３を通じて本体１０ａの内部に差し込むことができる。また、工具の差し込みは、スクリーン取付枠部１０の本体１０ａの長さ以内の任意の位置において行うことができる。
【００４８】
このように、スクリーン装置１では、施工現場などでの丈寸法の切り詰めによる調整が必要とされるときに、上スライドガイド枠部１５を、第１の剛性ユニット２４間の連結解除によってスクリーン取付枠部１０から取り出すことができ、しかもその取り出しは、スクリーン取付枠部１０の本体１０ａの長さ以内の任意の位置で行うことができ、容易である。スクリーン装置１の丈詰め作業が容易となっている。
【００４９】
また、上記のとおり、スクリーン装置１では、張力部材２７をスクリーン取付枠部１０の上側で折り返す折返部材２８は、スクリーン取付枠部１０の本体１０ａの上端よりやや下方に取り付けられているので、上側の折返部材２８は、スクリーン装置１の切断位置よりも下側に配置することができる。このため、張力部材２７を折返部材２８から取り外すことなく、スクリーン取付枠部１０の上端側の切断が可能となっている。張力部材２７がスクリーン装置１の丈詰めの支障となることはなく、また、上側の折返部材２８を一旦取り外し、スクリーン取付枠部１０に付け直す必要もない。スクリーン装置１の丈詰め作業は容易に行うことができる。
【００５０】
なお、丈詰め後の上スライドガイド枠部１５の組み立ておよびスクリーン取付枠部１０の本体１０ａの内部への取付けは、取出作業の逆の手順で容易に行うことができる。
【００５１】
また、上記のとおりの第１の剛性ユニット２４間の連結解除を可能にする、上スライドガイド枠部１５の下スライドガイド枠部１６との交差は、たとえば、スクリーン取付枠部１０の上端部に配設される上側のガイドブロック３０のガイド面２９を、下側に配設されるガイドブロック３０のガイド面２９よりもスクリーン取付部１０ｂ側に配置することによって容易に実現可能である。
【００５２】
さらに、スクリーン装置１では、上記のとおり、スクリーン２とローラーパイプ３の上端が同一位置に配置されているので、ローラーパイプ３の本体３ａをスクリーン２とともに一度に切断することができる。上記のとおり、ローラーパイプ３の本体３ａにおいて上端側の部分には回転軸５は存在しない。単に中空なパイプ状であるため、ローラーパイプ３の本体３ａの上端側は切断可能である。また、スクリーン取付枠部１０の上端をスクリーン２の上端と揃えることによって、スクリーン取付枠部１０をも一度に切断することが可能となる。このように、スクリーン装置１の丈詰め作業は一層容易となっている。
【００５３】
しかも、スクリーン装置１では、ローラーパイプ３を収納する収納枠９の上端がローラーパイプ３の上端と同一位置に配置されてもいる。つまり、スクリーン２、ローラーパイプ３および収納枠９の上端が、図１図中に示した矢印Ｘで同一位置に揃えて配置されている。このため、丈詰め時には、ローラーパイプ３を内部に収納したまま収納枠９をローラーパイプ３ごと、スクリーン２とともに一度に切断することができる。したがって、スクリーン装置１では、丈詰め作業がなお一層容易となっている。
【００５４】
また、スクリーン装置１では、図１に示したように、建物の開口部の縦方向に延びる左側の額縁Ｂに、スクリーン取付枠部１０に対向して配設された戸当り枠１２には、ラッチ３５が配設されている。ラッチ３５は、スクリーン取付枠部１０側に突出し、下方に曲折された係合部３６を有しており、ラッチ３５は、付設されたバネ３７の弾性力が作用し、上下動可能とされている。ラッチ３５と対向するスクリーン取付枠部１０の前面部には、係合部３６と係合する開口３８を有するハンガー３９が配設されている。ハンガー３９は、図３＜ａ＞＜ｂ＞に示した、スクリーン取付枠部１０の本体１０ａの前面部に形成された開口３３において、カバー３４と同様に、本体１０ａの前面部にビスなどによって固定される。
【００５５】
スクリーン２を閉める際に、スクリーン取付枠部１０を戸当り枠１２までスライドさせると、ハンガー３９の開口３８にラッチ３５の係合部３６が入り込み、その先端が、開口３８の縁部においてハンガー３９に引っ掛かり、係合する。この係合によって、スクリーン取付枠部１０は、ローラーパイプ３に内蔵されたコイルバネ６の弾性力に抗して移動が制止され、スクリーン装置１は、閉じた状態を安定に保持することができる。
【００５６】
そして、スクリーン装置１では、図５に示したように、ハンガー３９の上下両端部に、ドライバーなどの工具の差し込みを可能とした差込溝４０が、ハンガー３９の外方に切り欠かれて形成されている。
【００５７】
このため、ドライバーなどの工具を差込溝４０に差し込むことによって、スクリーン取付枠部１０の本体１０ａにおいて開口３３に取り付けられ、ハンガー３９の上下に位置しているカバー３４を容易に取り外すことができる。カバー３４は、差込溝４０を通じて本体１０ａの内部に挿入された工具の先端をカバー３４の背面側から前方に押し出すことによって取り外される。したがって、スクリーン装置１の丈詰め作業において、上スライドガイド枠部１５をスクリーン取付枠部１０の本体１０ａの内部から取り出す際に、カバー３４を容易に取り外すことができ、スクリーン装置１の丈詰め作業がより一層容易となる。
【００５８】
図６は、図１に示したスクリーン装置におけるスクリーン取付枠部のスクリーン取付部側の下端部を示した要部斜視図である。図７は、図１に示したスクリーン装置の丈詰めの際にスクリーンを引き下げる作業について示した、図６に対応する要部斜視図である。
【００５９】
スクリーン装置１では、スクリーン取付枠部１０のスクリーン取付部１０ｂ側に形成されたスロット１１が、スクリーン取付枠部１０の下端部において、幅が拡大されるように左右両側方に切り欠かれ、切欠４１が形成されている。切欠４１は、スクリーン取付枠部１０の本体１０ａの下端に接続されたガイドブロック３０において、本体１０ａに形成されたスロット１１と同一直線上に延びるスロット１１ａに形成されている。
【００６０】
切欠４１の形成によって、切欠４１を通じてドライバーなどの工具をスロット１１ａの内部に差し込むことが可能となる。したがって、スクリーン装置１の丈詰めに際して、ドライバーなどの工具を、切欠４１を通じてスロット１１ａの内部に差し込み、スクリーン２の左端部に配設された固定部材７を引き下げることができる。固定部材７の引き下げにともなって、スクリーン２が引き下げられ、スクリーン取付枠部１０の本体１０ａをスクリーン２に対して上方に相対的に移動させることができる。
【００６１】
スクリーン取付枠部１０の本体１０ａの上端には、上記のとおり、上スライドガイド枠部１５の収納および引き出しをガイドするガイドブロック３０が接続されている。スクリーン装置１の丈詰めの際には、スクリーン取付枠部１０の本体１０ａの上端側を切断する必要があり、切断時には上側のガイドブロック３０は取り外される。したがって、スクリーン取付枠部１０の相対的な上方への移動によって、図１図中に矢印Ｙで示した位置に配置されている本体１０ａの上端とスクリーン２の上端を同一位置に容易に揃えることができる。スクリーン取付枠部１０の本体１０ａの切断は、スクリーン２とともに一度に行うことができ、また、スクリーン２とローラーパイプ３の本体３ａの上端は、上記のとおり、同一位置に配置されてもいるので、スクリーン取付枠部１０の本体１０ａの上端は、ローラーパイプ３の本体３ａの上端とも同一位置に揃えられる。このため、スクリーン取付枠部１０の本体１０ａ、スクリーン２およびローラーパイプ３の本体３ａの上端が揃い、一度に切断を行うことができる。スクリーン装置１の丈詰め作業はさらに容易となる。
【００６２】
なお、固定部材７の引き下げは、切欠４１が、スロット１１ａの左右両側方に形成されているので容易となる。左右いずれかの片側のみに切り欠４１が形成される場合、スロット１１の幅は、固定部材７の嵌挿に必要とされる大きさに制限されているため、固定部材７の引き下げをスムーズに行うことが難しい。
【００６３】
図８は、スクリーン装置１において、上スライドガイド枠部１５および下スライドガイド枠部１６を連結する張力部材２７の配設について示した要部正面図である。
【００６４】
張力部材２７の配設は、スクリーン取付枠部１０の本体１０ａの内部で行われる。上スライドガイド枠部１５の自由端２６には、収納方向の先端付近に２つの溝４２が左右に隣り合わせて形成され、溝４２の間にフック４３が配設されている。張力部材２７は、その一端が、上スライドガイド枠部１５の自由端２６に固定されるとともに、右側の溝４２に引き込まれ、フック４３の裏側を回って左側の溝４２から手前側に引き出され、上スライドガイド枠部１５の長さ方向に沿って配置される。この状態では、張力部材２７の上スライドガイド枠部１５への固定側は、自由端２６に係止されている。
【００６５】
一方、下スライドガイド枠部１６は、その自由端２６に、錘３１を内蔵した端部ユニット４４が配設されている。端部ユニット４４において下スライドガイド枠部１６の収納方向の先端付近には、前後に貫通する開口４５が形成されている。
【００６６】
上スライドガイド枠部１５および下スライドガイド枠部１６をスクリーン取付枠部１０の本体１０ａの内部に組み込む際には、上記のとおり、上スライドガイド枠部１５を形成する第１の剛性ユニット２４の側壁部１８が、下スライドガイド枠部１６を形成する第２の剛性ユニット１７の側壁部１８の間の内側に入り込み、上スライドガイド枠部１５を下スライドガイド枠部１６と交差させる。張力部材２７の配線は、上スライドガイド枠部１５の自由端２６を下スライドガイド枠部１６の自由端２６と交差させる際に、張力部材２７を、開口４５を通じて下スライドガイド枠部１６の手前側に引き出すことによって行うことができる。張力部材２７は、上スライドガイド枠１５への固定側において自由端２６に係止されているので、上スライドガイド枠部１５をスクリーン取付枠部１０の本体１０ａの内部に組み込む際に、特に手を携える必要がなく、スクリーン取付枠部１０の本体１０ａの内部に引き込むことができる。そして、下スライドガイド枠部１６の自由端２６に形成された開口４５を通じてドライバーなどの工具を差し込み、張力部材２７を手繰り寄せて下スライドガイド枠部１６の手前側に引き出すことができる。下スライドガイド枠部１６の手前側に引き出した張力部材２７は、下スライドガイド枠部１６の長さ方向に沿って配線し、下側の折返部材２８のプーリー２８ａなどに掛け回し、下スライドガイド枠部１６の自由端２６に固定することができる。同様に、上スライドガイド枠部１５の長さ方向に沿って配線した張力部材２７は、上側の折返部材２８のプーリー２８ａなどに掛け回し、下スライドガイド枠部１６の自由端２６に固定することができる。
【００６７】
このように、スクリーン装置１では、張力部材２７の配線が容易となってもいる。
【００６８】
以上、本発明について実施形態に沿って説明したが、本発明は、実施形態によって制限されるものではない。各部位の構成および構造の詳細については、各部位が果たすべき機能などを考慮して種々のものを適宜選択することができる。
【符号の説明】
【００６９】
１  スクリーン装置
２  スクリーン
３  ローラーパイプ
６  コイルバネ
７  固定部材
１０  スクリーン取付枠部
１１、１１ａ  スロット
１５  上スライドガイド枠部
１６  下スライドガイド枠部
１７  第２の剛性ユニット
１８  側壁部
１９  架橋部
２４  第１の剛性ユニット
２６  自由端
２７  張力部材
２８  折返部材
３５  ラッチ
３９  ハンガー
４０  差込溝
４１  切欠
Ｂ  額縁
【図２】
2011080274.tif 000003
【図３】
2011080274.tif 000004
【図４】
2011080274.tif 000005
【図５】
2011080274.tif 000006
【図６】
2011080274.tif 000007
【図８】
2011080274.tif 000008
【図１】
2011080274.tif 000009
【図７】
2011080274.tif 000010
【手続補正書】
【提出日】平成21年10月9日(2009.10.9)
【手続補正１】
【補正対象書類名】図面
【補正対象項目名】全図
【補正方法】変更
【補正の内容】
【図２】
2011080274.tif 000011
【図３】
2011080274.tif 000012
【図４】
2011080274.tif 000013
【図５】
2011080274.tif 000014
【図６】
2011080274.tif 000015
【図８】
2011080274.tif 000016
【図１】
2011080274.tif 000017
【図７】
2011080274.tif 000018